(57)【要約】  CIoTのように膨大な数のユーザ装置（UE）が無線ネットワークに接続される場合において、アイドル状態のユーザ装置を迅速かつ確実に接続状態に復帰させ得る無線通信システム、無線基地局、移動管理エンティティ、ユーザ装置及び通信制御方法を提供する。通信制御方法は、UEが接続状態からアイドル状態に遷移した場合、eNBが、UEとeNBとの間におけるアクセス層のコンテキストであるAS ContextをMMEに転送するステップと、MMEが、eNBからのAS Contextの取得要求に応じて、AS ContextをeNBに送信するステップと、無線基地局が、MMEから送信されたAS Contextを用いて、UEを接続状態に復帰させるステップとを含む。
2017029908.tif 000002
【特許請求の範囲】
【請求項１】
アクセス層を介してユーザ装置と無線通信を実行する無線基地局と、前記ユーザ装置の移動性を管理する移動管理エンティティとを含む無線通信システムであって、
前記無線基地局は、
前記ユーザ装置を接続状態またはアイドル状態に制御する状態制御部と、
前記ユーザ装置が前記接続状態から前記アイドル状態に遷移した場合、前記ユーザ装置と前記無線基地局との間における前記アクセス層のコンテキストであるASコンテキストを前記移動管理エンティティに転送するコンテキスト転送部と
を備え、
前記移動管理エンティティは、
前記無線基地局から転送された前記ASコンテキストを保持するコンテキスト保持部と、
前記無線基地局からの前記ASコンテキストの取得要求に応じて、前記コンテキスト保持部に保持されている前記ASコンテキストを前記無線基地局に送信するコンテキスト送信部と
を備え、
前記状態制御部は、前記移動管理エンティティから送信された前記ASコンテキストを用いて、前記ユーザ装置を前記接続状態に復帰させる無線通信システム。
【請求項２】
前記コンテキスト転送部は、前記ユーザ装置に関するコンテキストの解放が完了したことを示すメッセージに前記ASコンテキストを含めることによって、前記ASコンテキストを前記移動管理エンティティに転送する請求項１に記載の無線通信システム。
【請求項３】
前記コンテキスト送信部は、前記ユーザ装置に関するコンテキストの設定を要求するメッセージに前記ASコンテキストを含めることによって、前記ASコンテキストを前記無線基地局に送信する請求項１に記載の無線通信システム。
【請求項４】
アクセス層を介してユーザ装置と無線通信を実行する無線基地局であって、
前記ユーザ装置を接続状態またはアイドル状態に制御する状態制御部と、
前記ユーザ装置が前記接続状態から前記アイドル状態に遷移した場合、前記ユーザ装置と前記無線基地局との間における前記アクセス層のコンテキストであるASコンテキストを、前記ユーザ装置の移動性を管理する移動管理エンティティに転送するコンテキスト転送部と
を備え、
前記状態制御部は、前記移動管理エンティティから送信された前記ASコンテキストを用いて、前記ユーザ装置を前記接続状態に復帰させる無線基地局。
【請求項５】
アクセス層を介して無線基地局と無線通信を実行するユーザ装置の移動性を管理する移動管理エンティティであって、
前記ユーザ装置と前記無線基地局との間における前記アクセス層のコンテキストであるASコンテキストであって、前記無線基地局から転送された前記ASコンテキストを保持するコンテキスト保持部と、
前記無線基地局からの前記ASコンテキストの取得要求に応じて、前記コンテキスト保持部に保持されている前記ASコンテキストを前記無線基地局に送信するコンテキスト送信部と
を備える移動管理エンティティ。
【請求項６】
アクセス層を介して無線基地局と無線通信を実行するユーザ装置であって、
前記ユーザ装置を接続状態またはアイドル状態に制御する接続制御部と、
前記接続制御部によって、前記ユーザ装置が前記接続状態から前記アイドル状態に遷移した場合、前記ユーザ装置と前記無線基地局との間における前記アクセス層のコンテキストであるASコンテキストを保持するコンテキスト保持部と
を備えるユーザ装置。
【請求項７】
前記接続制御部は、前記ユーザ装置を前記アイドル状態から前記接続状態に復帰させる場合、前記コンテキスト保持部に保持されている前記ASコンテキストを用いて、前記ユーザ装置を前記接続状態に復帰させる請求項６に記載のユーザ装置。
【請求項８】
アクセス層を介してユーザ装置と無線通信を実行する無線基地局と、前記ユーザ装置の移動性を管理する移動管理エンティティとを用いた通信制御方法であって、
前記ユーザ装置が接続状態からアイドル状態に遷移した場合、前記無線基地局が、前記ユーザ装置と前記無線基地局との間における前記アクセス層のコンテキストであるASコンテキストを前記移動管理エンティティに転送するステップと、
前記移動管理エンティティが、前記無線基地局からの前記ASコンテキストの取得要求に応じて、前記ASコンテキストを前記無線基地局に送信するステップと、
前記無線基地局が、前記移動管理エンティティから送信された前記ASコンテキストを用いて、前記ユーザ装置を前記接続状態に復帰させるステップと
を含む通信制御方法。
【発明の詳細な説明】
【技術分野】
【０００１】
本発明は、CIoTに対応し得る無線通信システム、無線基地局、移動管理エンティティ、ユーザ装置及び通信制御方法に関する。
【背景技術】
【０００２】
3rdGeneration Partnership Project（3GPP）では、Machine Type Communications（MTC）端末など、従来の移動通信端末だけでなく、様々な種類のユーザ装置（UE）の接続に最適化されたCellular Internet of Things（CIoT）を実現するための技術検討が進められている（例えば、非特許文献１）。【０００３】
このような技術検討の中で、CIoT用の無線アクセスネットワーク（CIoT RAT）と、CIoT用のコアネットワーク（CIoT CN）とのインターフェイス（S1）を介して、これまでと同様に、C-plane及びU-planeの情報を送受信することが提案されている。このような提案によれば、既存のコアネットワークとの親和性が高く、CIoTへの移行も容易であると考えられている。【０００４】
CIoTには、膨大な数のUE（CIoT UE）が接続されることが想定されており、現状のLong Term Evolution（LTE）の仕様を踏襲した場合、次のような問題が生じる。すなわち、UEが、無線ネットワーク（無線アクセスネットワーク及びコアネットワーク）と接続された接続状態から、当該無線ネットワークと接続されていないアイドル状態に遷移した場合、当該UE、及び当該UEが接続していた無線基地局（eNB）は、当該UE〜eNB間におけるアクセス層（Access Stratum（AS））のコンテキストであるAS Contextを消去する。【０００５】
このため、UEが、アイドル状態から接続状態に復帰する場合、当該UEとeNBとの間において、改めてASに関する設定（セキュリティなど）を実行しなければならず、接続状態への復帰に長い時間を要する。【０００６】
そこで、このような問題に対処するため、UEがアイドル状態に遷移した場合でも、UE、及び当該UEが接続していたeNBが、当該UEのAS Contextを消去せずに保持することが提案されている。
【先行技術文献】
【非特許文献】
【０００７】
【非特許文献１】3GPP TR 23.720 V0.1.0 3rd Generation Partnership Project; Technical Specification Group Services and System Aspects; Architecture enhancements for Cellular Internet of Things; (Release 13)、3GPP、2015年7月
【発明の概要】
【０００８】
しかしながら、UEがアイドル状態に遷移した場合でも、UE、及び当該UEが接続していたeNBが、当該UEのAS Contextを消去せずに保持する上述の方法には、次のような問題がある。
【０００９】
すなわち、アイドル状態のUEが接続状態に復帰する際に接続先となるeNBが、当該UEがアイドル状態に遷移した際のeNBと異なる場合、接続先となるeNBは、遷移した際のeNBが保持しているAS Contextを即座には利用できない。このため、結局は、UEとeNBとの間において、改めてASに関する設定を実行しなければならず、接続状態への復帰に長い時間を要する。
【００１０】
また、このように接続先となるeNBが変わる場合には、遷移した際のeNBが保持しているAS Contextは、即座に接続先となるeNBにおいて再利用できないため、当該AS Contextを再利用する場合でも、やはり上述の方法では、充分に対応できていない。
【００１１】
そこで、本発明は、このような状況に鑑みてなされたものであり、CIoTのように膨大な数のユーザ装置（UE）が無線ネットワークに接続される場合において、アイドル状態のユーザ装置を迅速かつ確実に接続状態に復帰させ得る無線通信システム、無線基地局、移動管理エンティティ、ユーザ装置及び通信制御方法の提供を目的とする。
【００１２】
本発明の一態様に係わる無線通信システムは、アクセス層を介してユーザ装置と無線通信を実行する無線基地局と、前記ユーザ装置の移動性を管理する移動管理エンティティとを含む。前記無線基地局は、前記ユーザ装置を接続状態またはアイドル状態に制御する状態制御部と、前記ユーザ装置が前記接続状態から前記アイドル状態に遷移した場合、前記ユーザ装置と前記無線基地局との間における前記アクセス層のコンテキストであるASコンテキストを前記移動管理エンティティに転送するコンテキスト転送部とを備える。前記移動管理エンティティは、前記無線基地局から転送された前記ASコンテキストを保持するコンテキスト保持部と、前記無線基地局からの前記ASコンテキストの取得要求に応じて、前記コンテキスト保持部に保持されている前記ASコンテキストを前記無線基地局に送信するコンテキスト送信部とを備える前記状態制御部は、前記移動管理エンティティから送信された前記ASコンテキストを用いて、前記ユーザ装置を前記接続状態に復帰させる。
【図面の簡単な説明】
【００１３】
【図１】図１は、無線通信システム10の全体概略構成図である。
【図２】図２は、eNB100の機能ブロック構成図である。
【図３】図３は、MME200の機能ブロック構成図である。
【図４】図４は、S/PGW300の機能ブロック構成図である。
【図５】図５は、UE20の機能ブロック構成図である。
【図６】図６は、UE20が接続状態からアイドル状態に遷移した場合におけるAS Contextの処理シーケンスを示す図である。
【図７】図７は、UE20がアイドル状態から接続状態に復帰する場合におけるAS Contextの処理シーケンスを示す図である。
【図８】図８は、UE20が接続状態からアイドル状態に遷移し、その後接続状態に復帰した場合におけるAS Contextの保持状態の説明図（動作例１）である。
【図９】図９は、UE20が接続状態からアイドル状態に遷移した場合におけるESM Contextの処理シーケンスを示す図である。
【図１０】図１０は、UE20がアイドル状態から接続状態に復帰する場合におけるESM Contextの処理シーケンスを示す図である。
【図１１】図１１は、UE20が接続状態からアイドル状態に遷移し、その後接続状態に復帰した場合におけるESM Contextの保持状態の説明図（動作例２）である。
【図１２】図１２は、UE20が接続状態からアイドル状態に遷移し、その後接続状態に復帰した場合におけるAS Context及びESM Contextの保持状態の説明図（動作例３）である。
【図１３】図１３は、UE20、eNB100、MME200及びS/PGW300のハードウェア構成の一例を示す図である。
【発明を実施するための形態】
【００１４】
以下、実施形態を図面に基づいて説明する。なお、同一の機能や構成には、同一または類似の符号を付して、その説明を適宜省略する。
【００１５】
（１）無線通信システムの全体概略構成
図１は、本実施形態に係る無線通信システム10の全体概略構成図である。無線通信システム10は、3rd Generation partnership Project（3GPP）によって規定される仕様に準拠（例えば、Long Term Evolution（LTE））している。
【００１６】
特に、本実施形態では、無線通信システム10は、様々な種類のユーザ装置20（以下、UE20）の接続に最適化されたCellular Internet of Things（CIoT）に対応する。CIoTでは、Machine Type Communications（MTC）端末など、膨大な数のUE20が、無線通信システム10によって構成される無線ネットワークに接続されることを前提としている。MTC端末などのUE20は、少量のデータを送信することが特徴である。
【００１７】
図１に示すように、無線通信システム10は、UE20、無線基地局100（以下、eNB100）、移動管理エンティティ200（以下、MME200）、及びServing-Gateway/Packet Data Network-Gateway 300（以下、S/PGW300）を含む。
【００１８】
UE20は、LTEなどの無線アクセス技術（RAT）に従った無線通信をeNB100と実行する。具体的には、UE20は、UE20とeNB100との間における機能レイヤであるアクセス層（Access Stratum（AS））を介してeNB100と無線通信を実行する。
【００１９】
eNB100も、当該RATに従った無線通信、つまり、ASを介してUE20と無線通信を実行する。上述したように、UE20は、MTC端末やスマートフォンなどを含む様々な種類の端末であり、多数のUE20が無線通信システム10に接続して通信を実行する。
【００２０】
MME200は、UE20の移動性を管理する。具体的には、MME200は、S1-MMEインターフェイスを介してeNB100を収容し、UE20の移動性管理、認証（セキュリティ制御）及びユーザデータの転送経路の設定処理などを実行する。
【００２１】
S/PGW300（SGW）は、UE20が送信または受信するパケットデータ（ユーザデータ）をルーティングする在圏（サービング）パケットゲートウェイである。S/PGW300（SGW）は、eNB100との間で当該ユーザデータを送受信するとともに、接続する外部パケットネットワーク（PDN）単位の通信経路を設定する。
【００２２】
また、S/PGW300（PGW）は、インターネット30と接続し、IPアドレスの割り当てなどを実行する。S/PGW300（PGW）は、UE20が、3GPPの仕様に準拠した無線通信システム10から非3GPP無線通信システム（無線LANなど）に移動する場合におけるユーザデータ転送の切替ポイントとなる。
【００２３】
（２）無線通信システムの機能ブロック構成
次に、無線通信システム10の機能ブロック構成について説明する。具体的には、eNB100、MME200、S/PGW300及びUE20の機能ブロック構成について説明する。
【００２４】
（２．１）eNB100
図２は、eNB100の機能ブロック構成図である。図２に示すように、eNB100は、状態制御部110及びASコンテキスト転送部120を備える。
【００２５】
状態制御部110は、UE20の状態を制御する。具体的には、状態制御部110は、UE20をアイドル状態または接続状態に制御する。アイドル状態とは、UE20がData Radio Bearer（DRB、データ無線ベアラ）を有さず、当該データ無線ベアラによって無線ネットワークと接続していない状態である。また、接続状態とは、eNB100を介してデータ無線ベアラを有し、当該データ無線ベアラによって無線ネットワークと接続している状態である。無線ネットワークとは、無線通信システム10が構成する無線アクセスネットワーク及びコアネットワークを意味する。
【００２６】
具体的には、アイドル状態とは、データ無線ベアラを有しないため、ASにおける設定が解放されている状態である。一方、接続状態とは、データ無線ベアラを有するため、ASの接続設定が完了している状態、つまり、AS Contextも有している状態である。
【００２７】
また、状態制御部110は、MME200から送信されたUE20のAS Contextを受信することができる。状態制御部110は、受信した当該AS Contextを用いて、UE20を接続状態、具体的には、ユーザデータの通信可能な接続状態に復帰させる。
【００２８】
AS Contextとは、UE20〜eNB100間におけるASのコンテキストであり、AS部分におけるデータ通信用のセキュリティ確立に用いられる鍵、アルゴリズム及びシーケンス番号などである。
【００２９】
ASコンテキスト転送部120は、UE20のAS ContextをMME200に転送する。具体的には、ASコンテキスト転送部120は、UE20が接続状態からアイドル状態に遷移した場合、UE20のAS ContextをMME200に転送する。
【００３０】
具体的には、ASコンテキスト転送部120は、UE20に関するコンテキスト（UE Context）の解放が完了したことを示すメッセージ（UE Context Release Complete）にUE20のAS Contextを含めることによって、当該AS ContextをMME200に転送する。
【００３１】
（２．２）MME200
図３は、MME200の機能ブロック構成図である。図３に示すように、MME200は、ASコンテキスト保持部210、ASコンテキスト送信部220、ESMコンテキスト保持部230及びセッション制御部240を備える。
【００３２】
ASコンテキスト保持部210は、eNB100から転送されたUE20のAS Contextを保持する。具体的には、ASコンテキスト保持部210は、転送されたUE20のAS Contextを当該UE20の識別子（例えば、S-TMSI（Temporary Mobile Subscriber Identity）と対応付けて保持する。
【００３３】
なお、ASコンテキスト保持部210は、ASコンテキスト送信部220がAS ContextをeNB100に送信した後、保持していたAS Contextを消去してもよい。
【００３４】
ASコンテキスト送信部220は、eNB100からのAS Contextの取得要求に応じて、ASコンテキスト保持部210に保持されているAS ContextをeNB100に送信する。
【００３５】
具体的には、ASコンテキスト送信部220は、UE20のUE Contextの設定を要求するメッセージ（Initial Context Setup Request）にAS Contextを含めることによって、UE20のAS ContextをeNB100に送信する。
【００３６】
ESMコンテキスト保持部230は、UE20用のセッションの管理コンテキストを保持する。具体的には、ESMコンテキスト保持部230は、S/PGW300から送信されるセッション削除応答（Delete Session Response）に含まれるESM Contextを保持する。
【００３７】
ESM Contextとは、EPS Session Management（ESM）のコンテキストであり、ESM Contextには、コアネットワーク、具体的には、UE20とS/PGW300（PGW）との間において設定されるEPSベアラやセッション確立に関する情報などが含まれる。
【００３８】
なお、ESMコンテキスト保持部230は、UE20がアイドル状態から接続状態に復帰した場合、保持していたESM Contextを消去してもよい。
【００３９】
セッション制御部240は、UE20用のセッションを制御する。具体的には、セッション制御部240は、ESMに基づいてUE20用のセッションを制御する。
【００４０】
特に、セッション制御部240は、UE20がアイドル状態から接続状態に復帰する処理の開始に応じて、ESMコンテキスト保持部230によって保持されているUE20のESM Contextを含むセッション生成要求（Create Session Request）をS/PGW300に送信する。
【００４１】
具体的には、セッション制御部240は、UE20のESM Context、及びUE20の識別子である装置識別子を含むCreate Session RequestをS/PGW300に送信することができる。装置識別子（端末識別子）としては、例えば、Globally Unique Temporary ID（GUTI）を用いることができる。
【００４２】
（２．３）S/PGW300
図４は、S/PGW300の機能ブロック構成図である。図４に示すように、S/PGW300は、セッション管理部310及びユーザ装置情報保持部320を備える。
【００４３】
セッション管理部310は、UE20用のセッションを管理する。具体的には、セッション管理部310は、UE20用のセッションの削除を要求するセッション削除要求（Delete Session Request）をMME200から受信した場合、当該セッションのESM Contextを含むセッション削除応答（Delete Session Response）をMME200に送信する。
【００４４】
また、セッション管理部310は、MME200から受信したセッション生成要求（Create Session Request）に含まれるESM Contextに基づいて、当該ESM Contextと対応するUE20用のセッションを再設定する。
【００４５】
また、セッション管理部310は、UE20の装置識別子（GUTI）を含むDelete Session Requestを受信した場合、ユーザ装置情報保持部320によって保持されている装置識別子と、UE20に割り当てられているIPアドレスとに基づいて当該セッションを再設定することができる。
【００４６】
ユーザ装置情報保持部320は、UE20に関する情報を保持する。具体的には、ユーザ装置情報保持部320は、UE20の装置識別子（GUTI）とUE20に割り当てられているIPアドレスとを対応付けて保持する。
【００４７】
ユーザ装置情報保持部320は、セッション管理部310からの要求に基づいて、UE20のGUTI及びIPアドレスをセッション管理部310に提供する。
【００４８】
なお、ユーザ装置情報保持部320は、UE20がアイドル状態から接続状態に復帰した場合、保持していたGUTI及びIPアドレスを消去してもよい。
【００４９】
（２．４）UE20
図５は、UE20の機能ブロック構成図である。図５に示すように、UE20は、接続制御部21及びASコンテキスト保持部23を備える。
【００５０】
接続制御部21は、UE20と無線ネットワークとの接続を制御する。具体的には、接続制御部21は、UE20を接続状態またはアイドル状態に制御する。
【００５１】
より具体的には、接続制御部21は、UE20をアイドル状態から接続状態に復帰させる場合、ASコンテキスト保持部23に保持されているUE20のAS Contextを用いて、UE20を接続状態に復帰させる。
【００５２】
ASコンテキスト保持部23は、UE20のAS Contextを保持する。具体的には、ASコンテキスト保持部23は、接続制御部21によって、UE20が接続状態からアイドル状態に遷移した場合、UE20のAS Contextを保持する。
【００５３】
なお、ASコンテキスト保持部23は、UE20がアイドル状態から接続状態に復帰した場合、保持していたAS Contextを消去してもよい。
【００５４】
（３）無線通信システムの動作
次に、上述した無線通信システム10の動作について説明する。具体的には、UE20が接続状態からアイドル状態に遷移した場合、及びその後接続状態に復帰した場合におけるAS Context及びESM Contextの処理に関する動作について説明する。
【００５５】
（３．１）動作例１
図６は、UE20が接続状態からアイドル状態に遷移した場合におけるAS Contextの処理シーケンス（S1インターフェイスの無線アクセスベアラ解放手順）を示す。また、図７は、UE20がアイドル状態から接続状態に復帰する場合におけるAS Contextの処理シーケンス（サービスリクエスト手順）を示す。なお、当該処理シーケンスでは、UE20は、少量のデータを送信するMTC端末などを想定している。
【００５６】
図８（ａ）〜（ｃ）は、UE20が接続状態からアイドル状態に遷移し、その後接続状態に復帰した場合におけるAS Contextの保持状態の説明図である。
【００５７】
（３．１．１）接続状態からアイドル状態への遷移時
図６に示すように、UE20が無線ネットワークと接続した接続状態において、eNB100は、UE20をアイドル状態に遷移させることを決定する（ステップ1）。なお、UE20をアイドル状態に遷移させることを決定する理由としては、UE20が送受信するユーザデータが一定期間発生していないことや、UE20またはコアネットワーク側からの要求に基づくことが挙げられる。
【００５８】
eNB100は、MME200とUE Contextの解放に関するコマンドを送受信する（ステップ2〜4）。なお、このような処理は、3GPP TS23.401 Section 5.3.5に規定されている。
【００５９】
この中で、eNB100がMME200に送信するUE Context Release Completeには、UE20のAS Contextが含まれる。なお、上述したように、AS Contextとは、ASにおけるセキュリティ確立に用いられる鍵、アルゴリズム及びシーケンス番号などである。
【００６０】
eNB100は、MME200とのUE Contextの解放に関する処理が完了すると、UE20とRRC Connectionの解放手順を実行する（ステップ5）。
【００６１】
また、MME200は、UE20に関する無線アクセスベアラの解放手順を実行する（ステップ6, 7）。なお、このような処理も、3GPP TS23.401 Section 5.3.5に規定されている。
【００６２】
このような処理によって、UE20は、接続状態からアイドル状態に遷移する。UE20は、RRC Connectionの解放手順が完了すると、完了時点のAS Contextを保持し、格納する（ステップ8a）。
【００６３】
同様に、MME200も、無線アクセスベアラの解放手順が完了すると、完了時点のUE20のAS Contextを保持し、格納する（ステップ8b）。
【００６４】
図８（ａ）に示すように、UE20が接続状態の場合、UE20では、UE20のNAS Context、AS Context及びESM Contextが保持されている。また、eNB100では、UE20のAS Contextが保持されている。さらに、MME200では、UE20のNAS Contextが保持され、S/PGW300では、UE20のESM Contextが保持されている。
【００６５】
UE20が接続状態からアイドル状態に遷移した場合、図８（ｂ）に示すように、eNB100で保持されていた当該AS Contextは、MME200に転送される。MME200は、転送された当該AS Contextを保持、つまり、記憶して格納する。
【００６６】
（３．１．２）アイドル状態から接続状態への復帰時
図７に示すように、UE20が無線ネットワークと接続していないアイドル状態において、UE20は、少量のデータを送信することを決定、或いは、UE20に対するページング（呼び出し）に応答することを決定する（ステップ1）。具体的には、UE20のNASは、ASに対してAS connectionの設定を要求する。
【００６７】
UE20は、eNB100とランダムアクセス手順を実行する（ステップ2, 3）。また、UE20は、RRC Connection RequestをeNB100に送信する（ステップ4）。
【００６８】
ステップ4において、UE20は、NAS Service requestメッセージをeNB100に送信することによってService Request手順を実行する。当該メッセージには、UE20のS-TMSI、ASのシーケンス番号（Seq#）、セキュリティシグネチャーなどが含まれるとともに、当該NASメッセージは、UE20に保持されたAS Contextに含まれる情報で署名されている。
【００６９】
eNB100は、UE20から受信したS-TMSIに基づいて、該当するMMEを選択する。ここでは、MME200が選択されたものとする。eNB100は、Initial UE message（NAS message）をMME200に送信する（ステップ5）。このような処理は、3GPP TS23.401 Section 5.3.4.1に規定されている。
【００７０】
MME200は、Initial UE messageに含まれる署名情報を確認することによって、当該Initial UE messageの正当を判定する。当該Initial UE messageが正当である場合、MME200は、UE20のAS Contextを含むInitial Context Setup RequestをeNB100に送信する（ステップ6）。
【００７１】
ステップ6において送信されるAS Contextは、基本的に、eNB100がMME200に送信したAS Contextと同一である。但し、MME200は、必要に応じてAS Contextの内容を更新してもよい。
【００７２】
例えば、一定時間以上、ASのセキュリティに関するコンテキストが変更されていない場合に、当該セキュリティが脅かされることを防止するために、MME200は、AS Contextの内容を更新してもよい。或いは、eNBが変更される際、当該eNBに新たな鍵を提供すると決定した場合、MME200は、AS Contextの内容を更新してもよい。
【００７３】
eNB100は、受信したAS Contextに基づいて、UE20から受信したRRC Connection Requestの正当性を確認する。当該RRC Connection Requestが正当である場合、eNB100は、UE20とRRC Connectionを設定する（ステップ7, 8）。
【００７４】
これにより、UE20用のSignaling Radio Bearer（SRB）、Data Radio Bearer（DRB）及びAS Contextが設定される。また、UE20のNASもEMM接続状態（EMM Connected）に遷移する。
【００７５】
ステップ9〜12は、3GPP TS23.401 Section 5.3.4.1に規定されている内容と同様である。このような処理によってUE20用のベアラ（通信路）が再設定され、上り方向または下り方向のデータの転送が開始される。
【００７６】
また、図８（ｃ）に示すように、UE20がアイドル状態から接続状態へ復帰した場合、MME200で保持されていたAS Contextは、eNB100に返送される。なお、MME200は、AS Contextの返送後、当該AS Contextを消去してもよい。
【００７７】
（３．２）動作例２
図９は、UE20が接続状態からアイドル状態に遷移した場合におけるESM Contextの処理シーケンス（S1インターフェイスの無線ベアラ解放手順）を示す。また、図１０は、UE20がアイドル状態から接続状態に復帰する場合におけるESM Contextの処理シーケンス（サービスリクエスト手順）を示す。なお、当該処理シーケンスでも、UE20は、少量のデータを送信するMTC端末などを想定している。
【００７８】
図１１（ａ）〜（ｃ）は、UE20が接続状態からアイドル状態に遷移し、その後接続状態に復帰した場合におけるESM Contextの保持状態の説明図である。
【００７９】
以下、上述した動作例１と異なる部分について主に説明し、同様の部分については、その説明を適宜省略する。
【００８０】
（３．２．１）接続状態からアイドル状態への遷移時
図９に示すように、ステップ1〜5の処理は、3GPP TS23.401 Section 5.3.5に規定されている内容と同様である。
【００８１】
MME200は、UE20のGlobally Unique Temporary ID（GUTI）を含むDelete Session RequestをS/PGW300に送信する（ステップ6）。Delete Session Requestを受信したS/PGW300は、UE20と対応付けられている、つまり、UE20用のGTP-C（GPRS Tunneling Protocol-Control Plane）セッション及びGTP-U（GPRS Tunneling Protocol-User Plane）セッションを削除する。
【００８２】
S/PGW300は、当該GTP-Cセッション及びGTP-Uセッションを削除すると、UE20のESM Contextを含むDelete Session ResponseをMME200に送信する（ステップ7）。
【００８３】
また、S/PGW300は、当該ESM Contextを消去する。S/PGW300は、UE20のGUTI及びIPアドレスの対応付け（マッピング）のみを保持する（ステップ8）。
【００８４】
MME200は、受信したDelete Session Responseに含まれているESM Contextを保持し、格納する。（ステップ9）。
【００８５】
図１１（ａ）は、図８（ａ）と同様である。すなわち、UE20が接続状態の場合、UE20では、UE20のNAS Context、AS Context及びESM Contextが保持されている。また、eNB100では、UE20のAS Contextが保持されている。さらに、MME200では、UE20のNAS Contextが保持され、S/PGW300では、UE20のESM Contextが保持されている。
【００８６】
UE20が接続状態からアイドル状態に遷移した場合、図１１（ｂ）に示すように、S/PGW300で保持されていた当該ESM Contextは、MME200に転送される。MME200は、転送された当該ESM Contextを保持、つまり、記憶して格納する。
【００８７】
（３．２．２）アイドル状態から接続状態への復帰時
図１０に示すように、ネットワーク主導によるService Requestの場合、ステップ1の処理から開始される。一方、UE20主導によるService Requestの場合、ステップ5の処理から開始される。以下では、ネットワーク主導によるService Requestの場合について説明する。
【００８８】
S/PGW300は、UE20宛ての下り方向のIPパケットを受信する（ステップ1）。上述したように、S/PGW300は、Delete Session Responseの送信後、UE20のESM Contextを消去しており、UE20のGUTI及びIPアドレスの対応付けのみを保持している。そこで、S/PGW300は、当該GUTIに基づいてDownlink Data Notificationを送信すべきMMEを選択する。ここでは、MME200が選択されたものとする。
【００８９】
S/PGW300は、GUTIを含むDownlink Data NotificationをMME200に送信する（ステップ2）。なお、Downlink Data Notificationの送信には、MME200とS/PGW300との間に設定されているデフォルトのGTP-Cセッションを用いることができる。
【００９０】
MME200は、Downlink Data Notificationに対する肯定応答であるDownlink Data Notification AckをS/PGW300に送信する（ステップ3）。また、MME200は、受信したDownlink Data Notificationに基づいて、UE20に対するページングを実行する（ステップ4）。
【００９１】
ステップ5〜8は、3GPP TS23.401 Section 5.3.4.1に規定されている内容と同様である。Initial Context Setup Completeを受信したMME200は、UE20用のセッションの設定を要求するCreate Session RequestをS/PGW300に送信する（ステップ9）。Create Session Requestには、ESM Contextを始め、UE20のIMSI（International Mobile Subscriber Identity）及びGUTIが含まれる。当該GUTIは、S/PGW300が、UE Contextを更新すべきユーザ装置を特定するために用いられる。
【００９２】
S/PGW300は、Create Session Requestに対する応答であるCreate Session ResponseをMME200に送信する（ステップ10）。また、S/PGW300は、ESM Context、及び当該GUTIとUE20に割り当てられているIPアドレスとを対応付けに基づいて、UE20用のGTP-Cセッション（トンネル）をMME200と再設定するとともに、UE20用のGTP-Uセッション（トンネル）をeNB100と再設定する（ステップ11, 12）。
【００９３】
また、図１１（ｃ）に示すように、UE20がアイドル状態から接続状態へ復帰した場合、MME200で保持されていたESM Contextは、S/PGW300に返送される。なお、MME200は、S/PGW300の返送後、当該S/PGW300を消去してもよい。
【００９４】
（３．３）動作例３
本動作例は、上述した動作例１及び動作例２の組合せである。すなわち、図６〜図７に示したAS Contextの処理シーケンスと、図９〜図１０に示したESM Contextの処理シーケンスとが、平行して実行される。
【００９５】
すなわち、動作例３では、UE20が接続状態からアイドル状態に遷移すると、UE20のAS Context及びESM ContextがMME200によって保持される。また、動作例３では、UE20がアイドル状態から接続状態に復帰すると、MME200によって保持されていたAS ContextがeNB100に返送されるとともに、MME200によって保持されていたESM ContextがS/PGW300に返送される。
【００９６】
図１２（ａ）〜（ｃ）は、UE20が接続状態からアイドル状態に遷移し、その後接続状態に復帰した場合におけるAS Context及びESM Contextの保持状態の説明図である。
【００９７】
図１２（ａ）は、図８（ａ）及び図１１（ａ）と同様である。すなわち、UE20が接続状態の場合、UE20では、UE20のNAS Context、AS Context及びESM Contextが保持されている。また、eNB100では、UE20のAS Contextが保持されている。さらに、MME200では、UE20のNAS Contextが保持され、S/PGW300では、UE20のESM Contextが保持されている。
【００９８】
UE20が接続状態からアイドル状態に遷移した場合、図１２（ｂ）に示すように、eNB100で保持されていた当該AS Contextは、MME200に転送される。また、S/PGW300で保持されていた当該ESM ContextもMME200に転送される。このように、UE20がアイドル状態に遷移した場合、MME200がUE20に関するUE Contextを集中的に保持し、管理する。
【００９９】
UE20がアイドル状態から接続状態へ復帰した場合、図１２（ｃ）に示すように、MME200で保持されていたAS Contextは、eNB100に返送されるとともに、MME200で保持されていたESM Contextは、S/PGW300に返送される。
【０１００】
（４）作用・効果
上述した実施形態によれば、以下の作用効果が得られる。具体的には、上述した動作例１によれば、UE20が接続状態からアイドル状態に遷移した場合、UE20のAS ContextがeNB100からMME200に転送される。また、UE20がアイドル状態から接続状態に復帰した場合、当該AS ContextがMME200からeNB100に返送される。
【０１０１】
このため、UE20が接続状態に復帰した場合に、eNB100とMME200との間において、改めてASに関する設定（セキュリティなど）を実行する必要がなく、速やかにUE20用のSignaling Radio Bearer（SRB）、Data Radio Bearer（DRB）及びAS Contextを再設定することができる。
【０１０２】
さらに、当該AS Contextは、MME200において保持されるため、UE20が接続状態に復帰する際に接続先となるeNBが、当該UEがアイドル状態に遷移した際のeNBと異なる場合でも、当該AS Contextを復帰する際に接続先となるeNBに即座に提供できる。これにより、CIoTのように膨大な数のUEが無線ネットワークに接続される場合でも、アイドル状態のUEを迅速かつ確実に接続状態に復帰させることができる。
【０１０３】
また、動作例１によれば、eNB100において必要となるAS Context用の記憶容量を大幅に低減できる。さらに、eNB100にAS Contextなどのセキュリティに関する情報を記憶させないようにすることは、セキュリティ向上の観点からも好ましい。また、設備規模がeNB100よりも大きいMME200は、一般的に信頼性が高いことからも、AS Contextを保持しておく装置としては、eNB100よりも好ましい。
【０１０４】
動作例１では、UE Context Release Complete及びInitial Context Setup Requestに当該AS Contextが含められている。このため、3GPPにおいて規定されている既存の手順を活用しつつ、アイドル状態のUEを迅速かつ確実に接続状態に復帰させることができる。
【０１０５】
次に、上述した動作例２によれば、UE20が接続状態からアイドル状態に遷移した場合、UE20のESM ContextがS/PGW300からMME200に転送される。また、UE20がアイドル状態から接続状態に復帰した場合、当該ESM ContextがMME200からS/PGW300に返送される。
【０１０６】
このため、UE20が接続状態に復帰した場合に、MME200とS/PGW300の間において、改めてASに関する設定を実行する必要がなく、速やかにUE20用のセッション（GTP-C, GTP-U）を再設定することができる。
【０１０７】
また、動作例２によれば、S/PGW300において必要となるESM Context用の記憶容量を大幅に低減できる。このため、S/PGW300の設備規模を抑制できる。S/PGW300の主な機能がパケットデータのルーティングであること、及び将来の無線ネットワーク（例えば、5G）アーキテクチャへの対応の柔軟性を考慮すると、S/PGW300は、セッション管理などのC-planeの処理を排除し、U-planeの処理に特化することが好ましいが、動作例２によれば、このような機能分離を実現し得る。
【０１０８】
また、動作例３によれば、MME200がUE20に関するUE Context（AS Context及びESM Context）を集中的に保持し、管理する。このため、UE Contextを複数の装置において分散して管理する必要性を低減でき、将来の無線ネットワークアーキテクチャへの対応の柔軟性に寄与し得る。
【０１０９】
さらに、動作例１〜動作例３によれば、既存のS1インターフェイスを継続利用して、C-planeの処理をMME200に集中させて実行し、U-planeの処理をS/PGW300に集中させて実行することができるため、今後発展して行く将来（5G)ネットワーク構想との親和性も高いと考えられる。
【０１１０】
（５）その他の実施形態
以上、実施形態に沿って本発明の内容を説明したが、本発明はこれらの記載に限定されるものではなく、種々の変形及び改良が可能であることは、当業者には自明である。
【０１１１】
例えば、上述した動作例１では、UE Context Release Complete及びInitial Context Setup RequestにUE20のAS Contextが含められていたが、このような動作は、必須ではない。つまり、当該AS Contextは、3GPPにおいて規定されているUE Context Release Complete及びInitial Context Setup Request以外の他のメッセージに含められてもよいし、当該AS Contextを転送するための新規なメッセージを定義してもよい。
【０１１２】
また、上述した動作例２では、S/PGW300が、UE20のGUTI及びIPアドレスの対応付け（マッピング）を保持していたが、このような動作も必須ではない。例えば、S/PGW300は、当該対応付けを実現可能な情報が他の装置から提供されるような形態でも構わない。
【０１１３】
上述した実施形態では、無線通信システム10が、3rdGeneration partnership Project（3GPP）によって規定される仕様に準拠（例えばLTE）しているものとして説明したが、無線通信システム10は、必ずしもこのような仕様に準拠していなくても構わない。
【０１１４】
また、上述した実施形態の説明に用いたブロック図は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１１５】
また、上述したUE20、eNB100、MME200及びS/PGW300は、本発明の無線通信方法の処理を行うコンピュータとして機能してもよい。図１３は、UE20、eNB100、MME200及びS/PGW30のハードウェア構成の一例を示す図である。図１３に示すように、UE20、eNB100、MME200及びS/PGW30は、プロセッサ1001、メモリ1002、ストレージ1003、通信装置1004、入力装置1005、出力装置1006及びバス1007などを含むコンピュータ装置として構成されてもよい。
【０１１６】
プロセッサ1001は、例えば、オペレーティングシステムを動作させてコンピュータ全体を制御する。プロセッサ1001は、周辺装置とのインターフェース、制御装置、演算装置、レジスタなどを含む中央処理装置（CPU）で構成されてもよい。
【０１１７】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１１８】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記憶媒体は、例えば、メモリ1002及び／またはストレージ1003を含むデータベース、サーバその他の適切な媒体であってもよい。
【０１１９】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１２０】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１２１】
また、プロセッサ1001及びメモリ1002などの各装置は、情報を通信するためのバス1007で接続される。バス1007は、単一のバスで構成されてもよいし、装置間で異なるバスで構成されてもよい。
【０１２２】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１２３】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１２４】
上述した実施形態におけるシーケンス及びフローチャートなどは、矛盾の無い限り、順序を入れ替えてもよい。
【０１２５】
また、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【０１２６】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【０１２７】
eNB100（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１２８】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１２９】
UE20は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１３０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３１】
さらに、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１３２】
また、本発明は、以下のように表現されてもよい。本発明の一態様は、アクセス層（AS）を介してユーザ装置（UE20）と無線通信を実行する無線基地局（eNB100）と、前記ユーザ装置の移動性を管理する移動管理エンティティ（MME200）とを含む無線通信システム（無線通信システム10）であって、前記無線基地局は、前記ユーザ装置を接続状態またはアイドル状態に制御する状態制御部（状態制御部110）と、前記ユーザ装置が前記接続状態から前記アイドル状態に遷移した場合、前記ユーザ装置と前記無線基地局との間における前記アクセス層のコンテキストであるASコンテキストを前記移動管理エンティティに転送するコンテキスト転送部（ASコンテキスト転送部120）とを備え、前記移動管理エンティティは、前記無線基地局から転送された前記ASコンテキストを保持するコンテキスト保持部（ASコンテキスト保持部210）と、前記無線基地局からの前記ASコンテキストの取得要求に応じて、前記コンテキスト保持部に保持されている前記ASコンテキストを前記無線基地局に送信するコンテキスト送信部（ASコンテキスト送信部220）とを備え、前記状態制御部は、前記移動管理エンティティから送信された前記ASコンテキストを用いて、前記ユーザ装置を前記接続状態に復帰させることを要旨とする。
【０１３３】
本発明の一態様において、前記コンテキスト転送部は、前記ユーザ装置に関するコンテキストの解放が完了したことを示すメッセージ（UE Context Release Complete）に前記ASコンテキストを含めることによって、前記ASコンテキストを前記移動管理エンティティに転送してもよい。
【０１３４】
本発明の一態様において、前記コンテキスト送信部は、前記ユーザ装置に関するコンテキストの設定を要求するメッセージ（Initial Context Setup Request）に前記ASコンテキストを含めることによって、前記ASコンテキストを前記無線基地局に送信してもよい。
【０１３５】
本発明の一態様は、アクセス層を介してユーザ装置と無線通信を実行する無線基地局であって、前記ユーザ装置を接続状態またはアイドル状態に制御する状態制御部と、前記ユーザ装置が前記接続状態から前記アイドル状態に遷移した場合、前記ユーザ装置と前記無線基地局との間における前記アクセス層のコンテキストであるASコンテキストを、前記ユーザ装置の移動性を管理する移動管理エンティティに転送するコンテキスト転送部とを備え、前記状態制御部は、前記移動管理エンティティから送信された前記ASコンテキストを用いて、前記ユーザ装置を前記接続状態に復帰させることを要旨とする。
【０１３６】
本発明の一態様は、アクセス層を介して無線基地局と無線通信を実行するユーザ装置の移動性を管理する移動管理エンティティであって、前記ユーザ装置と前記無線基地局との間における前記アクセス層のコンテキストであるASコンテキストであって、前記無線基地局から転送された前記ASコンテキストを保持するコンテキスト保持部と、前記無線基地局からの前記ASコンテキストの取得要求に応じて、前記コンテキスト保持部に保持されている前記ASコンテキストを前記無線基地局に送信するコンテキスト送信部とを備えることを要旨とする。
【０１３７】
本発明の一態様は、アクセス層を介して無線基地局と無線通信を実行するユーザ装置（UE20）であって、前記ユーザ装置を接続状態またはアイドル状態に制御する接続制御部（接続制御部21）と、前記接続制御部によって、前記ユーザ装置が前記接続状態から前記アイドル状態に遷移した場合、前記ユーザ装置と前記無線基地局との間における前記アクセス層のコンテキストであるASコンテキストを保持するコンテキスト保持部（ASコンテキスト保持部23）とを備えることを要旨とする。
【０１３８】
本発明の一態様において、前記接続制御部は、前記ユーザ装置を前記アイドル状態から前記接続状態に復帰させる場合、前記コンテキスト保持部に保持されている前記ASコンテキストを用いて、前記ユーザ装置を前記接続状態に復帰させることを要旨とする。
【０１３９】
本発明の一態様は、アクセス層を介してユーザ装置と無線通信を実行する無線基地局と、前記ユーザ装置の移動性を管理する移動管理エンティティとを用いた通信制御方法であって、前記ユーザ装置が接続状態からアイドル状態に遷移した場合、前記無線基地局が、前記ユーザ装置と前記無線基地局との間における前記アクセス層のコンテキストであるASコンテキストを前記移動管理エンティティに転送するステップと、前記移動管理エンティティが、前記無線基地局からの前記ASコンテキストの取得要求に応じて、前記ASコンテキストを前記無線基地局に送信するステップと、前記無線基地局が、前記移動管理エンティティから送信された前記ASコンテキストを用いて、前記ユーザ装置を前記接続状態に復帰させるステップとを含むことを要旨とする。
【０１４０】
本発明の一態様は、ユーザ装置（UE20）が送信または受信するパケットデータをルーティングするゲートウェイ装置（S/PGW300）と、前記ユーザ装置の移動性を管理する移動管理エンティティ（MME200）とを含む無線通信システム（無線通信システム10）であって、前記ゲートウェイ装置は、前記ユーザ装置用のセッションの削除を要求するセッション削除要求（Delete Session Request）を前記移動管理エンティティから受信した場合、前記セッションの管理コンテキスト（ESM Context）を含むセッション削除応答（Delete Session Response）を前記移動管理エンティティに送信するセッション管理部（セッション管理部310）を備え、前記移動管理エンティティは、前記セッション削除応答に含まれる前記管理コンテキストを保持するコンテキスト保持部（ESMコンテキスト保持部230）と、前記ユーザ装置がアイドル状態から接続状態に復帰する処理の開始に応じて、前記コンテキスト保持部によって保持されている前記管理コンテキストを含むセッション生成要求（Create Session Request）を前記ゲートウェイ装置に送信するセッション制御部（セッション制御部240）とを備え、前記セッション管理部は、前記移動管理エンティティから受信した前記セッション生成要求に含まれる前記管理コンテキストに基づいて、前記セッションを再設定することを要旨とする。
【０１４１】
本発明の一態様において、前記ゲートウェイ装置は、前記ユーザ装置の識別子である装置識別子と前記ユーザ装置に割り当てられているIPアドレスとを対応付けて保持するユーザ装置情報保持部（ユーザ装置情報保持部320）を備え、前記セッション管理部は、前記装置識別子を含む前記セッション削除要求を受信し、前記セッション制御部は、前記管理コンテキスト及び前記装置識別子を含む前記セッション生成要求を前記ゲートウェイ装置に送信し、前記セッション管理部は、前記ユーザ装置情報保持部によって保持されている前記装置識別子と前記IPアドレスとに基づいて前記セッションを再設定してもよい。
【０１４２】
本発明の一態様は、ユーザ装置が送信または受信するパケットデータをルーティングするゲートウェイ装置であって、前記ユーザ装置用のセッションの削除を要求するセッション削除要求を、前記ユーザ装置の移動性を管理する移動管理エンティティから受信した場合、前記セッションの管理コンテキストを含むセッション削除応答を前記移動管理エンティティに送信するセッション管理部を備えることを要旨とする。
【０１４３】
本発明の一態様において、前記ユーザ装置の識別子である装置識別子と前記ユーザ装置に割り当てられているIPアドレスとを対応付けて保持するユーザ装置情報保持部を備え、前記セッション管理部は、前記装置識別子を含む前記セッション削除要求を受信し、前記セッション管理部は、前記ユーザ装置情報保持部によって保持されている前記装置識別子と前記IPアドレスとに基づいて前記セッションを再設定してもよい。
【０１４４】
本発明の一態様は、ユーザ装置の移動性を管理する移動管理エンティティであって、前記セッションの管理コンテキストを保持するコンテキスト保持部と、前記ユーザ装置がアイドル状態から接続状態に復帰する処理の開始に応じて、前記コンテキスト保持部によって保持されている前記管理コンテキストを含むセッション生成要求を前記ゲートウェイ装置に送信するセッション制御部とを備え、前記管理コンテキストは、前記ユーザ装置用のセッションの削除を要求するセッション削除要求に対するゲートウェイ装置からの応答であるセッション削除応答に含まれてもよい。
【０１４５】
本発明の一態様において、前記セッション制御部は、前記管理コンテキスト、及び前記ユーザ装置の識別子である装置識別子を含む前記セッション生成要求を前記ゲートウェイ装置に送信してもよい。
【０１４６】
本発明の一態様は、ユーザ装置が送信または受信するパケットデータをルーティングするゲートウェイ装置と、前記ユーザ装置の移動性を管理する移動管理エンティティとを用いた通信制御方法であって、前記ゲートウェイ装置が、前記ユーザ装置用のセッションの削除を要求するセッション削除要求を前記移動管理エンティティから受信した場合、前記セッションの管理コンテキストを含むセッション削除応答を前記移動管理エンティティに送信するステップと、前記移動管理エンティティが、前記ユーザ装置がアイドル状態から接続状態に復帰する処理の開始に応じて、前記管理コンテキストを含むセッション生成要求を前記ゲートウェイ装置に送信するステップと、前記ゲートウェイ装置が、前記移動管理エンティティから受信した前記セッション生成要求に含まれる前記管理コンテキストに基づいて、前記セッションを再設定するステップと
を含むことを要旨とする。
【０１４７】
本発明の一態様において、前記セッション削除要求は、前記ユーザ装置の識別子である装置識別子を含み、前記セッション生成要求は、前記管理コンテキスト及び前記装置識別子を含み、前記ゲートウェイ装置が、前記装置識別子と前記ユーザ装置に割り当てられているIPアドレスとを対応付けるステップをさらに含み、前記セッションを再設定するステップにおいて、前記ゲートウェイ装置は、前記装置識別子と前記IPアドレスとに基づいて前記セッションを再設定してもよい。
【０１４８】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１４９】
なお、日本国特許出願第2015-160502号（2015年8月17日出願）の全内容が、参照により、本願明細書に組み込まれている。
【産業上の利用可能性】
【０１５０】
上述した無線通信システム、無線基地局、移動管理エンティティ、ユーザ装置及び通信制御方法によれば、CIoTのように膨大な数のユーザ装置（UE）が無線ネットワークに接続される場合において、アイドル状態のユーザ装置を迅速かつ確実に接続状態に復帰させ得る。
【符号の説明】
【０１５１】
10  無線通信システム
20  UE
21  接続制御部
23  ASコンテキスト保持部
30  インターネット
100  eNB
110  状態制御部
120  ASコンテキスト転送部
200  MME
210  ASコンテキスト保持部
220  ASコンテキスト送信部
230  ESMコンテキスト保持部
240  セッション制御部
300  S/PGW
310  セッション管理部
320  ユーザ装置情報保持部
【図１】
2017029908.tif 000003
【図２】
2017029908.tif 000004
【図３】
2017029908.tif 000005
【図４】
2017029908.tif 000006
【図５】
2017029908.tif 000007
【図６】
2017029908.tif 000008
【図７】
2017029908.tif 000009
【図８】
2017029908.tif 000010
【図９】
2017029908.tif 000011
【図１０】
2017029908.tif 000012
【図１１】
2017029908.tif 000013
【図１２】
2017029908.tif 000014
【図１３】
2017029908.tif 000015
【国際調査報告】
2017029908.tif 000016
2017029908.tif 000017
2017029908.tif 000018
2017029908.tif 000019